(57)【要約】【課題】従来のトグルスイッチでは、レバーをロックする誤動作防止機能を備えていたが、レバーをロックすることは可能であるがスイッチ本体からツマミが突出したままであった。また、レバーを突出させないように着脱自在としたものもあったが、レバーを紛失してしまう可能性があった。そこで、操作性を損なうことなく誤動作防止機能を備えたトグルスイッチを提供することを目的とする。【解決手段】ケース内に固定接点を配設するとともに前記ケース内を傾動する転換子により可動接片を傾動させて電路の切換えを行うスイッチにおいて、レバーを直立位置または傾倒位置で保持し、傾倒位置にあるときにはカバーから突出しないように収納される構成とする。【選択図】図２
2010205636.tif 000002
【特許請求の範囲】
【請求項１】
ケース内に固定接点を配設するとともに前記ケース内を傾動する転換子により可動接片を傾動させて電路の切換えを行うスイッチにおいて、上面に突片を形成するとともに該突片の上面および側面に凹部を形成した連結子を前記転換子に嵌合し、前記連結子に弾性部材を介して滑動棒を内設したレバーを結合し、該レバーは前記連結子の傾動操作方向と直交する方向に傾倒可能であって、前記凹部と滑動棒の係合によって前記レバーが直立位置または傾倒位置で保持され、傾倒位置にあるときにはカバーから突出しないように収納されることを特徴とするトグルスイッチ。
【発明の詳細な説明】
【技術分野】
【０００１】
本発明は、レバーを傾動操作して、スイッチ本体内に配備した接触機構部を作動させ
て電路の開閉を行うトグルスイッチに係り、誤動作防止機能を備えたトグルスイッチに関するものである。
【背景技術】
【０００２】
従来のトグルスイッチは誤動作防止として、突起と切欠の係合によってレバーをロックするもの（下記特許文献１）や、レバーを分離可能としたもの（下記特許文献２）がある。
【先行技術文献】
【特許文献】
【０００３】
【特許文献１】実開昭６３−８９６４３号
【特許文献２】特開昭６１−２４３６２５号
【非特許文献】
【０００４】
【非特許文献１】なし
【発明の概要】
【発明が解決しようとする課題】
【０００５】
しかしながら、上記した従来のトグルスイッチは、ロック機構を備えたものは、レバーが突出したままであり、レバーを突出させないように分離可能としたものは、レバーを紛失する可能性があった。このように、ロック機能を備えてもツマミは突出したままであり、操作性を損なうことなく誤動作防止を実現させることは困難であった。
【０００６】
そこで本発明は、上記状況に鑑みて、操作性を損なうことなく、誤動作防止機能を備えたトグルスイッチを提供することを目的とする。
【課題を解決するための手段】
【０００７】
本発明は、上記目的を達成するために、
ケース内に固定接点を配設するとともに前記ケース内を傾動する転換子により可動接片を傾動させて電路の切換えを行うスイッチにおいて、上面に突片を形成するとともに該突片の上面および側面に凹部を形成した連結子を前記転換子に嵌合し、前記連結子に弾性部材を介して滑動棒を内設したレバーを結合し、該レバーは前記連結子の傾動操作方向と直交する方向に傾倒可能であって、前記凹部と滑動棒の係合によって前記レバーが直立位置または傾倒位置で保持され、傾倒位置にあるときにはカバーから突出しないように収納されることを特徴とする。
【発明の効果】
【０００８】
本発明によれば、次のような効果を奏することができる。
（１）操作時にはレバーがカバーから突出して直立しているが、操作後はレバーを傾倒してカバー上面からレバーが突出しないように収納できるので、操作性を損なうことなく誤動作が防止できる。
（２）レバーが突出せずにカバーに収納できるのでデザイン性が向上できる。
【図面の簡単な説明】
【０００９】
【図１】本発明の実施例を表すトグルスイッチの斜視図である。
【図２】本発明の実施例を表すトグルスイッチのレバーを傾倒したときの斜視図である。
【図３】本発明の実施例を表すトグルスイッチの分解斜視図である。
【図４】本発明の実施例を表すトグルスイッチの平面図である。
【図５】本発明の実施例を表すトグルスイッチのレバーを傾倒したときの平面図である。
【図６】本発明の実施例を表すトグルスイッチの側面図である。
【図７】本発明の実施例を表すトグルスイッチのパネルに取付けたときの正面図である。
【図８】本発明の実施例を表すトグルスイッチのＡ−Ａ断面図である。
【図９】本発明の実施例を表すトグルスイッチのＢ−Ｂ断面図である。
【図１０】本発明の実施例を表すトグルスイッチのＣ−Ｃ断面図である。
【図１１】本発明の実施例を表すトグルスイッチのＤ−Ｄ断面図である。
【発明を実施するための形態】
【００１０】
本発明は、ケース内に固定接点を配設するとともに前記ケース内を傾動する転換子により可動接片を傾動させて電路の切換えを行うスイッチであって、レバーと連結子にロック機構を設け、レバーを直立位置または傾倒位置で保持することができ、傾倒位置にあるときにはカバーに収納される構成とする。よって、レバーを傾倒したときはカバー上面から突出しないため誤動作が防止できる。
【実施例】
【００１１】
以下、本発明の実施例について、図面を参照しながら詳細に説明する。
【００１２】
図１は本発明の実施例を表すトグルスイッチの斜視図、図２は本発明の実施例を表すトグルスイッチのレバーを傾倒したときの斜視図、図３は本発明の実施例を表すトグルスイッチの分解斜視図、図４は本発明の実施例を表すトグルスイッチの平面図、図５は本発明の実施例を表すトグルスイッチのレバーを傾倒したときの平面図、図６は本発明の実施例を表すトグルスイッチの側面図であり、図６（ａ）はそのレバーの通常状態を、図６（ｂ）はそのレバーを傾倒したときの状態を示している。図７は本発明の実施例を表すトグルスイッチのパネルに取付けたときの正面図、図８は本発明の実施例を表すトグルスイッチのＡ−Ａ断面図、図９は本発明の実施例を表すトグルスイッチのＢ−Ｂ断面図、図１０は本発明の実施例を表すトグルスイッチのＣ−Ｃ断面図、図１１は本発明の実施例を表すトグルスイッチのＤ−Ｄ断面図、である。
【００１３】
これらの図において、１はレバー、２はレバー１に内設されるコイルバネ、３はコイルバネ２を介してレバー１に内設される滑動棒、４は連結子、５は連結子４にレバー１を結合するスプリングピン、６は転換子、７は転換子６に内設されるコイルバネ、８はコイルバネ７を介して転換子６に内設される滑動棒、９はケース、１０は絶縁板、１１は取付板、１２は取付板１１に連結子４を結合するカシメピン、１３は絶縁板１０と取付板１１をケース９に固定する固定ネジ、１４はカバー、１５は受部材、１６は受部材１５をケース９に固定する鋲、１７は受部材１５に支持される可動接片、１８は固定接点、１９は受部材１５および固定接点１８とそれぞれ固定される外部端子である。レバー１の下部には一対の垂下部１ａが形成されるとともにこの垂下部１ａを貫通する傾倒軸孔１ｂが形成される。連結子４の上面には突片４ａが形成され、この突片４ａには上面および両側面の３箇所に凹部４ｂが形成されるとともに略中央部に傾倒軸孔４ｃが形成され、胴体部には傾倒軸孔４ｃと直行する方向に操作軸孔４ｄが形成され、下面には転換子６と嵌合するための嵌合突起４ｅが形成される。レバー１にコイルバネ２を介して滑動棒３を内設し、垂下部１ａの間に突片４ａが配置されるようにレバー１と連結子４を配置し、傾倒軸孔１ｂおよび４ｃを一直線上に並べてスプリングピン５を挿設してレバー１と連結子４を結合し、嵌合突起４ｅを転換子６の上面に形成された嵌合孔６ａに嵌合することで操作部が完成される。
【００１４】
レバー１および連結子４が結合された転換子６の下部にコイルバネ７を介して滑動棒８を内設し、転換子６を接触機構部を内設したケース９に配設する。絶縁板１０をケース９の上面に配置し、略中央部に設けた長孔１０ａからレバー１を突出させる。さらに、取付板１１を絶縁板１０の上面に配置し、略中央部に設けた長孔１１ａからレバー１を突出させ、ケース９の下方より固定ネジ１３で固定する。取付板１１には長側面に沿って一対の対向する軸受片１１ｂが設けられるとともに短側面に沿って一対の対向する取付片１１ｃが設けられている。軸受片１１ｂに形成された操作軸孔１１ｄと連結子４に形成された操作軸孔４ｄが一直線上に並ぶように配置し、カシメピン１２を挿設して連結子４と取付板１１を結合する。カバー１４を開口部１４ａに設けられた操作孔１４ｂからレバー１を突出するように被せ、側面に形成された嵌合溝１４ｃに形成された嵌合突起１４ｄを取付片１１ｃに形成された嵌合孔１１ｆに嵌合してトグルスイッチが完成される。そして、パネル２０に設けられた取付孔（図示せず）にスイッチをパネル２０前面から挿入し、パネル２０裏面から取付ネジ２１を取付孔１１ｅに螺合してスイッチをパネル２０に固定する。
【００１５】
以上のように構成された本発明のトグルスイッチは、操作時にはレバー１がカバー１４から突出するとともにレバー１に内設された滑動棒３と突片４ａの上面に形成された凹部４ｂが係合することにより直立位置が保持されており、カシメピン１２を支軸として傾動操作が可能であって、その操作にともなって転換子６が傾動して、内設された滑動棒８によって可動接片１７が傾動することで固定接点１８と接触して電路の切換えを行う。操作が完了したとき、スプリングピン５を支軸としてレバー１を傾倒すると滑動棒３が押し上げられて突片４ａの上面に形成された凹部４ｂとの係合が解除され、突片４ａの側面に形成された凹部４ｂに滑動棒３が係合することにより、レバー１が傾倒位置で保持される。このとき、レバー１の側面はカバー１４の上面から突出することなく収納される。
【００１６】
このように、本実施例に示すトグルスイッチは、レバー１が直立位置にあるときには傾動操作が可能であって、レバー１が傾倒位置にあるときにはカバー１４上面から突出しないように収納されるため、操作性を損なうことなく誤動作が防止できるという特徴を有している。
【００１７】
本実施例では、パネルへの取付けをネジ取付けとしたが、ケースに一体に形成した樹脂バネによる取付けとしてもよく、カバーもケースと一体に形成してもよく、種々の方法が考えられる。
【００１８】
なお、本発明は上記の実施例に限定されるものではなく、本発明の趣旨に基づき種々の変形が可能であり、これらを本発明の範囲から排除するものではない。
【産業上の利用可能性】
【００１９】
本発明のトグルスイッチは、操作性を損なうことなく誤動作防止機能を備えたトグルスイッチとして利用可能である。
【符号の説明】
【００２０】
１      レバー
１ａ    垂下部
１ｂ    傾倒軸孔
２，７  コイルバネ
３，８  滑動棒
４      連結子
４ａ    突片
４ｂ    凹部
４ｃ    傾倒軸孔
４ｄ    操作軸孔
４ｅ    嵌合突起
５      スプリングピン
６      転換子
６ａ    嵌合孔
９      ケース
１０    絶縁板
１０ａ  長孔
１１    取付板
１１ａ  長孔
１１ｂ  軸受片
１１ｃ  取付片
１１ｄ  操作軸孔
１１ｅ  取付孔
１１ｆ  嵌合孔
１２    カシメピン
１３    固定ネジ
１４    カバー
１４ａ  開口部
１４ｂ  操作孔
１４ｃ  嵌合溝
１４ｄ  嵌合突起
１５    受部材
１６    鋲
１７    可動接片
１８    固定接点
１９    外部端子
２０    パネル
２１    取付ネジ
【図１】
2010205636.tif 000003
【図２】
2010205636.tif 000004
【図３】
2010205636.tif 000005
【図４】
2010205636.tif 000006
【図５】
2010205636.tif 000007
【図６】
2010205636.tif 000008
【図７】
2010205636.tif 000009
【図８】
2010205636.tif 000010
【図９】
2010205636.tif 000011
【図１０】
2010205636.tif 000012
【図１１】
2010205636.tif 000013